(57)【要約】      （修正有）【課題】新たに装置を設置することなく、混雑時のサービスを良くすることができるエレベータの運転表示装置を提供する。【解決手段】各階の乗場釦１の操作により乗場呼びを登録する乗場呼び登録手段２と、満員通過したことを検出する満員通過発生検出手段９と、かご負荷により満員を判定する満員判定手段８と、かご呼びを登録するかご呼び登録手段４と、到着表示を点灯するか判定する到着表示点灯判定手段１０と、この到着表示点灯判定手段１０の点灯判定に従って到着表示を出力する到着表示出力手段１１と、乗場呼び登録階、かご呼び登録階にかごを走行させる制御手段とを備え、到着表示点灯判定手段１０により到着灯を点灯するか否かを判定する到着灯点灯判定を行う。【選択図】図１
2005119846.tif 000002
【特許請求の範囲】
【請求項１】
各階の乗場釦の操作により乗場呼びを登録する乗場呼び登録手段と、
満員通過したことを検出する満員通過発生検出手段と、
かご負荷により満員を判定する満員判定手段と、
かご内の行先釦の操作によりかご呼びを登録するかご呼び登録手段と、
到着表示を点灯するか判定する到着表示点灯判定手段と、
前記到着表示点灯判定手段の点灯判定に従って到着表示を出力する到着表示出力手段と、
乗場呼び登録階及びかご呼び登録階にエレベータかごを走行させ戸を開閉させるエレベータ制御手段とを備え、
前記到着灯点灯判定手段により、到着灯を点灯するか否かを判定する到着灯点灯判定を行うことを特徴とするエレベータの運転表示装置。
【請求項２】
各階の乗場釦の操作により乗場呼びを登録する乗場呼び登録手段と、
満員通過したことを検出する満員通過発生検出手段と、
かご負荷により満員を判定する満員判定手段と、
かご内の行先釦の操作によりかご呼びを登録するかご呼び登録手段と、
エレベータかごの走行方向を検出するかご方向検出手段と、
到着表示の点灯方向を判定する到着表示点灯方向判定手段と、
前記到着表示点灯方向判定手段の点灯方向判定に従って到着表示を出力する到着表示出力手段と、
乗場呼び登録階及びかご呼び登録階にエレベータかごを走行させ戸を開閉させるエレベータ制御手段とを備え、
前記到着表示点灯方向判定手段により、到着灯の点灯方向を判定する到着灯点灯方向判定を行うことを特徴とするエレベーターの運転表示装置。
【請求項３】
各階の乗場釦の操作により乗場呼びを登録する乗場呼び登録手段と、
満員通過したことを検出する満員通過発生検出手段と、
かご負荷を検出するかご負荷検出手段と、
かご内の行先釦の操作によりかご呼びを登録するかご呼び登録手段と、
かご負荷や割当の数により乗車可能か判定する乗車可能判定手段と、
前記乗車可能判定手段の乗車可能判定により到着表示を点灯するか判定する到着表示点灯判定手段と、
前記到着表示点灯判定手段の点灯判定に従って到着表示を出力する到着表示出力手段と、
乗場呼び登録階及びかご呼び登録階にエレベータかごを走行させ戸を開閉させるエレベ
ータ制御手段とを備え、
前記乗車可能判定手段において乗車可能か判定し、この判定により到着灯を点灯するか否かを判定することを特徴とするエレベータの運転表示装置。
【発明の詳細な説明】
【技術分野】
【０００１】
この発明はエレベータの運転表示装置に関するものである。
【背景技術】
【０００２】
エレベータが混雑すると満員通過が発生し、乗場で待っていた客は次のかごが到着するまで長時間待たなくてはならないことがある。このような状態を解消するために、登録できる割当の数を制限したり、かごが出発階から出発階に戻るまでのかご周回時間を算出し、これによって割当できる割当の数を制限することによって、満員通過をなるべく起こさないような割当を登録しているものがある（例えば、特許文献１参照）。
【０００３】
【特許文献１】特開平９−１９４１５１号公報
【発明の開示】
【発明が解決しようとする課題】
【０００４】
上記従来の技術は、乗場呼びが登録されたときは、満員通過が発生しにくいよう割当てることはできるが、満員通過が発生し、その階に割当てられたかごが到着するより手前の階でかご呼びで停止した場合、その階に乗場呼びが登録されていると乗場にいた客は乗場呼びに割当てられ到着したかごだと勘違いして乗車してしまい、満員通過した階に到着する前にまた満員になってしまい、先に満員通過した階の乗客はいつまでたってもエレベータに乗ることができなくなってしまうという問題があった。  
【０００５】
この発明は上記のような課題を解決するためになされたもので、新たに装置を設置することなく、混雑時のサービスを良くすることができるエレベータの運転表示装置を提供するものである。
【課題を解決するための手段】
【０００６】
この発明に係るエレベータの運転表示装置は、各階の乗場釦の操作により乗場呼びを登録する乗場呼び登録手段と、満員通過したことを検出する満員通過発生検出手段と、かご負荷により満員を判定する満員判定手段と、かご内の行先釦の操作によりかご呼びを登録するかご呼び登録手段と、到着表示を点灯するか判定する到着表示点灯判定手段と、この到着表示点灯判定手段の点灯判定に従って到着表示を出力する到着表示出力手段と、乗場呼び登録階及びかご呼び登録階にエレベータかごを走行させ戸を開閉させるエレベータ制御手段とを備え、到着灯点灯判定手段により、到着灯を点灯するか否かを判定する到着灯点灯判定を行うものである。
【０００７】
また、各階の乗場釦の操作により乗場呼びを登録する乗場呼び登録手段と、満員通過したことを検出する満員通過発生検出手段と、かご負荷により満員を判定する満員判定手段と、かご内の行先釦の操作によりかご呼びを登録するかご呼び登録手段と、エレベータかごの走行方向を検出するかご方向検出手段と、到着表示の点灯方向を判定する到着表示点灯方向判定手段と、この到着表示点灯方向判定手段の点灯方向判定に従って到着表示を出力する到着表示出力手段と、乗場呼び登録階及びかご呼び登録階にエレベータかごを走行させ戸を開閉させるエレベータ制御手段とを備え、到着表示点灯方向判定手段により、到着灯の点灯方向を判定する到着灯点灯方向判定を行うものである。
【０００８】
さらにまた、各階の乗場釦の操作により乗場呼びを登録する乗場呼び登録手段と、満員通過したことを検出する満員通過発生検出手段と、かご負荷を検出するかご負荷検出手段と、かご内の行先釦の操作によりかご呼びを登録するかご呼び登録手段と、かご負荷や割当の数により乗車可能か判定する乗車可能判定手段と、この乗車可能判定手段の乗車可能判定により到着表示を点灯するか判定する到着表示点灯判定手段と、この到着表示点灯判定手段の点灯判定に従って到着表示を出力する到着表示出力手段と、乗場呼び登録階及びかご呼び登録階にエレベータかごを走行させ戸を開閉させるエレベータ制御手段とを備え、乗車可能判定手段において乗車可能か判定し、この判定により到着灯を点灯するか否かを判定するものである。
【発明の効果】
【０００９】
この発明は以上のように構成されているので、満員通過が発生した階の割当を登録しているかごが、この階より手前の階にかご呼びが登録されかつその階に他のかごが割当てられている乗場呼びがあった場合、到着灯を操作することによって乗場の客が停止中のかごに乗り込まないようになるため、エレベータが混雑していても満員通過が発生した階に満員にならずに到着することができる。
【発明を実施するための最良の形態】
【００１０】
実施の形態１．
図１はこの発明の実施の形態１におけるエレベータの運転表示装置の全体構成を示すブロック構成図、図２はこの発明の実施の形態１を示すフローチャートである。
【００１１】
図１において、１は乗場に設置された周知の乗場釦、２は乗場釦１が押された階や、満員通過などで乗場呼びの自動登録が必要な階に乗場呼びを登録する周知の乗場呼び登録手段、３は周知のかご内に設置されたかご内行先釦、４はかご内行先釦３で押された行先釦を登録する周知のかご呼び登録手段、５はエレベータの運行を制御する周知のエレベータ制御手段、６は周知のエレベータかご、７は周知のかご負荷を検出をする秤、８は秤７で検出されたかご負荷からかごが満員かを判定する満員判定手段、９は満員通過が発生したことを検出する満員通過発生検出手段、１０はかご呼び登録手段４からのかご呼び登録階と、満員通過発生検出手段９からの追加割当検出から、到着表示の点灯を判定する到着表示点灯判定手段、１１は到着表示点灯判定手段１０の判定によって、到着表示を出力する周知の到着表示出力手段、１２は乗場にある周知の到着報知装置である。なお、乗場呼び登録手段２、かご呼び登録手段４、エレベータ制御手段５、満員判定手段８、満員通過発生検出手段９、到着表示点灯判定手段１０、到着表示出力手段１１はエレベータ制御装置Ａ内に設けられている。
【００１２】
次にこの発明の実施の形態１の動作を図２のフローチャートを用いて説明する。なお、この実施の形態１においては満員通過した階の乗場呼び割り当てを持っているかごは他の階の乗場呼びは割り当てられないものとする。
【００１３】
手順Ｓ１において、到着表示点灯フラグを初期化する。手順Ｓ２において満員通過の発
生を検出し、満員通過が発生していなければ動作を終了する。満員通過を発生していた場
合、手順Ｓ３に進み、満員通過が発生した階を取り出す。手順Ｓ４において、前の手順Ｓ３で登録した乗場呼びを割り当てられたかご(以下割当かごという)を検出する。手順Ｓ５において、前の手順Ｓ４で検出した割当かごの現在の位置から満員通過を発生した階までの間にかご呼びが登録されていないか検出する。かご呼びが登録されていない場合は手順Ｓ１０に進む。かご呼びが登録されている場合は、手順Ｓ６へ進む。手順Ｓ６において、手順Ｓ５で検出されたかご呼び登録階に乗場呼びが登録されているか検出する。乗場呼びが登録されていなければ手順Ｓ１０に進む。乗場呼びが登録されているとき、手順Ｓ７へ進み到着表示点灯フラグをＯＦＦに設定し、手順Ｓ８へ進む。手順Ｓ８でかごがかご呼び登録階に到着したか判定し、到着していないときは手順Ｓ８を繰り返す。到着しているとき手順Ｓ９へ進み、手順Ｓ７で設定した到着表示点灯フラグがＯＮのとき到着灯を点灯し、ＯＦＦのとき到着灯を点灯しない。到着灯を点灯しないことによって、乗場の客はかごが乗場に到着したことに気付きにくくなり、また、乗車できないかごと判断できるため、この階での乗車を防ぐことができ、満員通過した階に到着するまでにかごが満員になることを防ぐことができる。手順Ｓ１０に進み、かごが満員通過した階に到着したか判定する。到着していないときは手順Ｓ１０を繰り返し、到着したら手順Ｓ１１へ進む。手順Ｓ１１で通常通り到着灯を点灯して乗場の乗客を誘導し、手順Ｓ１２でかごに乗客が乗車後戸閉し、動作を終了する。
【００１４】
実施の形態２．
図３はこの発明の実施の形態２におけるエレベータの運転表示装置の全体構成を示すブロック構成図、図２はこの発明の実施の形態２を示すフローチャートである。
【００１５】
図３において、１は乗場に設置された周知の乗場釦、２は乗場釦１が押された階や、満員通過などで乗場呼びの自動登録が必要な階に乗場呼びを登録する周知の乗場呼び登録手段、３は周知のかご内に設置されたかご内行先釦、４はかご内行先釦３で押された行先釦を登録する周知のかご呼び登録手段、５はエレベータの運行を制御する周知のエレベータ制御手段、６は周知のエレベータかご、７は周知のかご負荷を検出をする秤、８は秤７で検出されたかご負荷からかごが満員かを判定する満員判定手段、９は満員通過が発生したことを検出する満員通過発生検出手段、１３はかご６からかご方向を検出する周知のかご方向検出手段、１４はかご方向検出手段１３からのかご方向、かご呼び登録手段４からのかご呼び登録階、満員通過発生検出手段９からの追加割当検出から、到着表示の点灯方向を判定する到着表示点灯方向判定手段、１１は到着表示点灯方向判定手段１４の判定によって、到着表示を出力する周知の到着表示出力手段、１２は乗場にある周知の到着報知装置である。なお、乗場呼び登録手段２、かご呼び登録手段４、エレベータ制御手段５、満員判定手段８、満員通過発生検出手段９、かご方向検出手段１３、到着表示点灯方向判定手段１４、到着表示出力手段１１はエレベータ制御装置Ａ内に設けられている。
【００１６】
次にこの発明の実施の形態２の動作を図４のフローチャートを用いて説明する。なお、この実施の形態２においては満員通過した階の乗場呼び割り当てを持っているかごは他の階の乗場呼びは割り当てられないものとする。
【００１７】
手順Ｓ２１において、到着表示点灯フラグを初期化する。手順Ｓ２２において満員通過の発生を検出し、満員通過が発生していなければ動作を終了する。満員通過を発生していた場合、手順Ｓ２３に進み満員通過が発生した階を取り出す。手順Ｓ２４で前の手順Ｓ２３において登録された乗場呼びを割り当てられたかご(以下割当かごとする)を検出する。手順Ｓ２５で前の手順Ｓ２４において検出した割当かごの現在の位置から満員通過を発生した階までの間にかご呼びが登録されていないか検出する。かご呼びが登録されていない場合は手順Ｓ３０に進む。かご呼びが登録されている場合は、手順Ｓ２６へ進む。手順Ｓ２６において、前の手順Ｓ２５で検出されたかご呼び登録階に乗場呼びが登録されているか検出する。乗場呼びが登録されていなければ手順Ｓ３２に進む。乗場呼びが登録されているとき、手順Ｓ２７へ進み前の手順Ｓ２６において検出された乗場呼びの登録方向を検出する。乗場呼びの方向がＵＰだったら手順Ｓ２８へ進み到着灯点灯方向をＤＮに設定し、乗場呼びの方向がＤＮだったら手順Ｓ２９へ進み到着灯点灯方向をＵＰに設定する。手順Ｓ３０に進み、かごが到着しているとき手順Ｓ３１へ進み、手順Ｓ２８、Ｓ２９で設定した到着表示点灯方向がＤＮだったらＤＮ方向の到着表示灯を点灯し、ＵＰだったらＵＰ方向の到着表示灯を点灯する。かご方向と反対の到着表示灯を点灯することによって、乗場の乗客はエレベータが戸開しても到着灯が自分が乗りたい方向と逆なため、かごに乗り込まない。このため、満員通過した階に到着するまでにかごが満員になることを防ぐことができる。手順Ｓ３２へ進み、割当かごがかご呼び登録階に到着したか検出する。到着していないときは手順Ｓ３２を繰り返し、到着したら手順Ｓ３３へ進む。手順Ｓ３３で通常通り到着灯を点灯して乗場の乗客を誘導し、手順Ｓ３４でかごに乗客が乗車後戸閉し、動作を終了する。
【００１８】
実施の形態３．
図５はこの発明の実施の形態３におけるエレベータの運転表示装置の全体構成を示すブロック構成図、図６はこの発明の実施の形態３を示すフローチャートである。
【００１９】
図５において、１は乗場に設置された周知の乗場釦、２は乗場釦１が押された階や、満員通過などで乗場呼びの自動登録が必要な階に乗場呼びを登録する周知の乗場呼び登録手段、３は周知のかご内に設置されたかご内行先釦、４はかご内行先釦３で押された行先釦を登録する周知のかご呼び登録手段、５はエレベータの運行を制御する周知のエレベータ制御手段、６は周知のエレベータかご、７は周知のかご負荷を検出をする秤、１５は周知のかご負荷検出手段、９は満員通過が発生したことを検出する満員通過発生検出手段、１６はかご負荷検出手段１５からのかご負荷と、かご呼び登録手段４からのかご呼び登録階と、満員通過発生検出手段９からの追加割当検出から、かごに乗車可能か判定する乗車可能判定手段、１０は乗車可能判定手段１６の判定によって到着表示の点灯を判定する到着表示点灯判定手段、１１は到着表示点灯判定手段１０の判定によって、到着表示を出力する周知の到着表示出力手段、１２は乗場にある周知の到着報知装置である。なお、乗場呼び登録手段２、かご呼び登録手段４、エレベータ制御手段５、かご負荷検出手段１５、満員通過発生検出手段９、乗車可能判定手段１６、到着表示点灯判定手段１０、到着表示出力手段１１はエレベータ制御装置Ａ内に設けられている。
【００２０】
次にこの発明の実施の形態３の動作を図６のフローチャートを用いて説明する。なお、この実施の形態３においては満員通過した階の乗場呼び割り当てを持っているかごは他の階の乗場呼びは割り当てられないものとする。
【００２１】
手順Ｓ４１において、到着表示点灯フラグを初期化する。手順Ｓ４２において満員通過の発生を検出し、満員通過が発生していなければ動作を終了する。満員通過を発生していた場合、手順Ｓ４３に進み満員通過が発生した階を取り出す。手順Ｓ４４で手順Ｓ４３登録した乗場呼びを割り当てられたかご(以下割当かごとする)を検出する。手順Ｓ４５において手順Ｓ４４で検出した割当かごの現在の位置から満員通過を発生した階までの間にかご呼びが登録されていないか検出する。かご呼びが登録されていない場合は手順Ｓ５２に進む。かご呼びが登録されている場合は、手順Ｓ４６へ進む。手順Ｓ４６において、手順Ｓ４５で検出されたかご呼び登録階に乗場呼びが登録されているか検出する。乗場呼びが登録されていなければ手順Ｓ５２に進む。乗場呼びが登録されているとき、手順Ｓ４７へ進みかご負荷が到着灯点灯を判断する到着灯点灯判断基準値より小さいか判定する。かご負荷が到着打点灯判断基準値より小さいときは手順Ｓ４８に進み、到着表示点灯フラグをＯＮに設定し、大きいときは、手順Ｓ４９に進み、到着表示点灯フラグをＯＦＦに設定する。次に手順Ｓ５０に進み、割当かごがかご呼び登録階に到着したか判定する。かご到着していないときは手順Ｓ５０を繰り返す。かごがかご呼び登録階に到着したら、手順Ｓ５１に進み、到着表示点灯フラグがＯＮのとき到着灯を点灯し、ＯＦＦのとき到着灯を点灯しない。到着灯を点灯しないことによって、乗場の乗客はかごが乗場に到着したことに気付きにくくなり、また、乗車できないかごと判断できるため、この階での乗車を防ぐことができ、満員通過した階に到着するまでにかごが満員になることを防ぐことができる。次に手順Ｓ５２に進み、かごが満員通過した階に到着したか判定する。かごが到着していないときは手順Ｓ５２を繰り返し、到着したら手順Ｓ５３へ進む。手順Ｓ５３で通常通り到着灯を点灯して乗場の乗客を誘導し、手順Ｓ５４でかごに乗客が乗車後戸閉し、動作を終了する。
【００２２】
なお、この発明は上記の実施の形態１〜３のみに限定されるものではなくその趣旨を変更しない範囲内で種々変形して実施することができる。
【図面の簡単な説明】
【００２３】
【図１】この発明の実施の形態１におけるエレベータの運転表示装置の全体構成を示すブロック構成図である。
【図２】この発明の実施の形態１を示すフローチャートである。
【図３】この発明の実施の形態２におけるエレベータの運転表示装置の全体構成を示すブロック構成図である。
【図４】この発明の実施の形態２を示すフローチャートである。
【図５】この発明の実施の形態３におけるエレベータの運転表示装置の全体構成を示すブロック構成図である。
【図６】この発明の実施の形態３を示すフローチャートである。
【符号の説明】
【００２４】
１  乗場釦
２  乗場呼び登録手段
３  かご内行先釦
４  かご呼び登録手段
５  エレベータ制御手段
６  エレベータかご
７  秤
８  満員判定手段
９  満員通過発生検出手段
１０  到着表示点灯判定手段
１１  到着表示出力手段
１２  到着報知装置
１３  かご方向検出手段
１４  到着表示点灯方向判定手段
１５  かご負荷検出手段
１６  乗車可能判定手段
Ａ  エレベータ制御装置
【図１】
2005119846.tif 000003
【図２】
2005119846.tif 000004
【図３】
2005119846.tif 000005
【図４】
2005119846.tif 000006
【図５】
2005119846.tif 000007
【図６】
2005119846.tif 000008